(57)【特許請求の範囲】
【請求項１】
窓枠の下部に障子の下部を室内外側方向に傾動自在に取付け、その障子を室内側に傾動することで窓枠の上部と障子の上部の間を開放する内倒し窓であって、
前記障子の縦框に沿って上下摺動自在な摺動子と、
この摺動子と窓枠の縦枠に亘って室内外側方向に回動自在に連結したアームと、
前記障子の縦框に取付けられて摺動子が当接することで障子の倒れ角度を規制する固定ストッパと、
前記障子の縦框室内側面に取付けられた可動ストッパ装置を備え、
この可動ストッパ装置は、縦框に取付けられる本体と、この本体に上下方向に移動自在に設けられ、かつ操作つまみを持って上下方向に移動操作される操作部材と、前記本体に、前記摺動子が当接するストップ位置と摺動子と離隔した非ストップ位置に亘って揺動自在に設けた可動ストッパを備え、
前記可動ストッパは、前記固定ストッパよりも上方に位置し、
前記可動ストッパはスプリングでストップ位置に揺動保持されていると共に、カムが設けてあり、
前記操作部材は、前記カムが接するカム面と、このカム面と連続し前記カムが嵌まり込む保持凹部を有し、
前記可動ストッパのスプリングによる揺動力でカムがカム面に押しつけられて操作部材が上方に移動し、この操作部材を下方に移動するとカム面がカムを押して可動ストッパを非ストッパ位置に揺動し、かつカムが保持凹部に嵌まり込んで操作部材を下方位置に保持するようにし、
前記操作部材に突起部を設け、この突起部は操作部材を下方位置で保持している時に摺動子が下方に移動すると弾性変形して摺動子が突起部よりも下方に移動し、摺動子が上方に移動すると突起部と干渉して操作部材が上方に移動して保持凹部からカムが離脱して操作部材の下方位置での保持を解除するようにしたことを特徴とする内倒し窓。
【請求項２】
前記操作部材を上方に移動すると可動ストッパがストップ位置、下方に移動すると非ストップ位置となり、前記可動ストッパ装置はカバー体を有し、このカバー体の窓から操作部材の操作つまみが突出し、
前記カバー体の窓の上部に換気の表示、下部に清掃の表示をした請求項１記載の内倒し窓。
【発明の詳細な説明】
【０００１】
【発明の属する技術分野】
本発明は、窓枠に対して障子を室内側に傾動することで窓枠上部と障子上部との間を開放して換気する内倒し窓に関する。
【０００２】
【従来の技術】
従来一般的に知られている内倒し窓は次のようである。
窓枠を形成する下枠と障子を形成する下框をヒンジで室内外側方向に傾動可能に連結し、前記窓枠を形成する縦枠にアームの一端部を室内外側方向に揺動可能に連結すると共に、障子を形成する縦框に沿って摺動子を摺動自在に設け、この摺動子と前記アームの他端部を室内外側方向に揺動可能に連結し、前記縦框に摺動子のストッパを取付けた内倒し窓。
【０００３】
前述の内倒し窓は障子を室内側に傾動すると摺動子が縦框に沿って下方に摺動し、その摺動子がストッパに当接することで障子を室内側に傾動した状態に保持する。
【０００４】
前述の内倒し窓はアーム、摺動子、ストッパによって障子の室内側への倒れ角度が規制される。
この障子の倒れ角度が大きいと摺動子がストッパに当接した時の衝撃力が大きくなるので、その障子の倒れ角度を小さくして衝撃力を小さくしている。
しかしながら、障子の倒れ角度が小さいと窓枠の上枠と障子の上框との間に形成される開口部の寸法が小さく、その開口から手などを入れて障子の室外面を清掃する作業がやりずらい。
【０００５】
このことを解消するために障子の倒れ角度を２段階に調整可能とし、通常時には倒れ角度を小さく、清掃時には倒れ角度を大きくできるようにした内倒し窓が種々提案されている。
例えば、実用新案登録第２５３３３０１号公報に開示された内倒し窓が提案されている。
【０００６】
前述の内倒し窓は、障子の縦框に長スライドガイドを取付け、アームの他端部にピン形状の摺動子を取付け、その摺動子を長スライドガイドの長溝に沿って摺動自在とする。
障子の縦框にカバーを取付け、このカバー内にストップレバーを長溝を横切るストップ位置と長溝と離れたストップ解除位置とに亘って揺動自在に取付け、カバーの外側に設けた操作つまみでストッパレバーを揺動する形状である。
【０００７】
前述の内倒し窓によれば、ストップレバーをストップ位置とすることで摺動子がストップレバーに当接し、障子の倒れ角度が小さくなる。
ストッパレバーをストップ解除位置とすれば摺動子が長溝の下端部まで摺動するので、障子の倒れ角度が大きくなる。
【０００８】
【発明が解決しようとする課題】
前述した内倒し窓は操作つまみを持ってストップレバーを揺動することで障子の倒れ角度を２段階に調整できる。しかしながら内倒し窓を室内から見た時にカバーの側方に操作つまみが見えるだけで目立つことがなく、その操作つまみを回転して障子の倒れ角度を調整するので、その調整操作を知らない初めての人にとっては障子の倒れ角度の調整操作が判りずらい。
しかも、操作つまみを回転するので、その操作がやりずらい。
【０００９】
そこで、本発明は前述の課題を解決できるようにした内倒し窓を提供することを目的とする。
【００１０】
【課題を解決するための手段】
第１の発明は、窓枠の下部に障子の下部を室内外側方向に傾動自在に取付け、その障子を室内側に傾動することで窓枠の上部と障子の上部の間を開放する内倒し窓であって、
前記障子の縦框に沿って上下摺動自在な摺動子と、
この摺動子と窓枠の縦枠に亘って室内外側方向に回動自在に連結したアームと、
前記障子の縦框に取付けられて摺動子が当接することで障子の倒れ角度を規制する固定ストッパと、
前記障子の縦框室内側面に取付けられた可動ストッパ装置を備え、
この可動ストッパ装置は、縦框に取付けられる本体と、この本体に上下方向に移動自在に設けられ、かつ操作つまみを持って上下方向に移動操作される操作部材と、前記本体に、前記摺動子が当接するストップ位置と摺動子と離隔した非ストップ位置に亘って揺動自在に設けた可動ストッパを備え、
前記可動ストッパは、前記固定ストッパよりも上方に位置し、
前記可動ストッパはスプリングでストップ位置に揺動保持されていると共に、カムが設けてあり、
前記操作部材は、前記カムが接するカム面と、このカム面と連続し前記カムが嵌まり込む保持凹部を有し、
前記可動ストッパのスプリングによる揺動力でカムがカム面に押しつけられて操作部材が上方に移動し、この操作部材を下方に移動するとカム面がカムを押して可動ストッパを非ストッパ位置に揺動し、かつカムが保持凹部に嵌まり込んで操作部材を下方位置に保持するようにし、
前記操作部材に突起部を設け、この突起部は操作部材を下方位置で保持している時に摺動子が下方に移動すると弾性変形して摺動子が突起部よりも下方に移動し、摺動子が上方に移動すると突起部と干渉して操作部材が上方に移動して保持凹部からカムが離脱して操作部材の下方位置での保持を解除するようにしたことを特徴とする内倒し窓である。
【００１１】
第２の発明は、第１の発明において、前記操作部材を上方に移動すると可動ストッパがストップ位置、下方に移動すると非ストップ位置となり、前記可動ストッパ装置はカバー体を有し、このカバー体の窓から操作部材の操作つまみが突出し、
前記カバー体の窓の上部に換気の表示、下部に清掃の表示をした内倒し窓である。
【００１３】
【作用】
第１の発明によれば、操作部材を上方に移動して可動ストッパをストップ位置とすれば、障子を室内側に傾動した時に摺動子が可動ストッパに当接し、障子の倒れ角度が小さい。
操作部材を下方に移動して可動ストッパを非ストップ位置とすれば、障子を室内側に傾動した時に摺動子は可動ストッパを通過して固定ストッパに当接し、障子の倒れ角度が大きい。
また、操作部材は障子の縦框室内側面に設けられているので操作部材を室内から見易いし、操作つまみを持って操作部材を上下に移動操作すれば障子の倒れ角度を調整でき、初めての人でも障子の倒れ角度の調整操作が判り易いし、操作部材の上下移動という容易な操作で障子の倒れ角度調整することが可能である。
【００１４】
また、スプリングの力によって可動ストッパが揺動されてカムがカム面に押しつけられ、可動ストッパがストップ位置となると共に、操作部材が上方に移動して保持されるので、通常の障子開閉操作時には障子の倒れ角度が小さい。
障子の清掃等の特殊な場合には操作部材を下方に移動操作することでカム面がカムを押して可動ストッパを非ストップ位置に揺動し、保持凹部にカムが嵌まり込んでストップ位置に保持できるので、操作部材を下方に移動する簡単な操作で障子の倒れ角度を大きくできる。
【００１５】
また、前述の状態から障子を閉じ位置に向けて傾動することで摺動子が上方に移動し、突起部に干渉して操作部材を上方に移動してカムが保持凹部から離れて可動ストッパの保持を解除するから、摺動子が可動ストッパを通過することで可動ストッパがスプリングでストップ位置に揺動すると共に、操作部材が上方の位置に移動する。
したがって、障子を閉じることで可動ストッパが自動的にストップ位置に復帰し、操作性が良いと共に、戻し忘れがない。
【００１６】
第２の発明によれば、換気の表示、清掃の表示に合せて操作つまみを上下に移動すれば良いので、その操作が極めて簡単で、しかも誤操作することがない。
【００１７】
【発明の実施の形態】
図１に示すように、窓枠１は上枠２と下枠３と左右の縦枠４で方形枠形状である。
障子５は上框６と下框７と左右の縦框８を方形框組みし、その内部にガラス９が装着してある。
前記障子５の下框７（障子下部）と窓枠１の下枠３（窓枠下部）がヒンジ１０で室内外側方向に傾動自在に連結されて内倒し窓を形成している。
【００１８】
前記上枠２（窓枠上部）と上框６（障子上部）に亘ってロック装置１１が取付けてある。
このロック装置１１は、図２に示すようにケース１２にロック部材１３を上下動自在に設けると共に、スプリングで上方に移動付勢保持した本体部１４と、ロック部材１３が係止するロック受部材１５を備え、ケース１２が上框６に取付けられ、ロック受部材１５が上枠２に取付けられる。
障子５を閉じ位置とするとロック部材１３がロック受部材１５に係合し、ロック部材１３の指掛け部１６に指を掛けて下方に移動するとロック受部材１５から外れる。
【００１９】
前記ヒンジ１０は図２に示すように、下枠３の室内側部に一体的に設けた受け凸部材１７と、下框７の室内側部に一体的に設けた受け凹部材１８を室内外側方向に揺動自在に嵌合した形状である。
【００２０】
図３に示すように縦框８はアルミ押出形材の縦框本体８ａの室内側に樹脂カバー材８ｂを取付けた形状で、縦框本体８ａの外側面にガイド溝１９を長手方向に連続して有する。
このガイド溝１９に摺動子２０が摺動可能に嵌挿してあり、その摺動子２０にアーム２１の一端部が室内外側方向に回動自在に連結されている。
前記アーム２１の他端部が縦枠４にブラケット２２、ピン２３を介して室内外側方向に回動自在に連結される。
【００２１】
図４に示すように、障子５の縦框８の外側面には固定ストッパ２４がビス２５で取付けてあり、縦框８の室内側面における固定ストッパ２４よりも上方位置に可動ストッパ装置３０が取付けてある。
前記可動ストッパ装置３０は図５に示すように、本体３１と操作部材３２と可動ストッパ３３を備えた本体部３４と、カバー体３５より成る。
前記本体３１は基板３１ａと一対の側板３１ｂで断面略コ字形状の長尺材で、基板３１ａに開口部３６が形成され、一対の側板３１ｂの上部寄りと下部寄りにガイドピンの挿入穴３７がそれぞれ設けてある。
前記操作部材３２は本体３１内に嵌まり合う大きさの矩形長尺材で、上部寄りと下部寄りにガイド溝３８が幅方向に開口して形成され、ガイドピン３９を前記一方の挿入穴３７、ガイド溝３８、他方の挿入穴３７に挿入して固定することで操作部材３２は図６に示すように本体３１に上下摺動自在に取付けられる。
【００２２】
前記操作部材３２の幅方向一側部３２ａの肉厚は厚く、幅方向他側部３２ｂの肉厚は薄い。その幅方向一側部３２ａの下部寄り端面に斜めのカム面４０が形成され、このカム面４０の最高部に保持凹部４１が形成してある。
前記操作部材３２の幅方向他側部３２ｂの上部寄りに前記摺動子２０が干渉する突起部４２が一体的に設けてあり、この突起部４２は図６に示すように本体３１の開口部３６より突出する。
【００２３】
前記可動ストッパ３３は板状体４３の上端部を折り曲げてストッパ片４４とした形状で、その板状体４３の上下中間部に孔４５が形成され、この孔４５よりも下方にカム、例えばピン４６が取付けてある。
前記孔４５に挿入した取付用ピン４７を本体３１の側板３１ｂの孔４８に挿入してカシメることで可動ストッパ３３は図６に示すように本体３１に揺動自在に取付けられる。
前記取付用ピン４７に設けたスプリング４９の一端部４９ａが本体３１の基板３１ａに接し、他端部４９ｂが板状体４３に接することで可動ストッパ３３は本体３１の基板３１ａよりも突出したストップ位置に向けて揺動付勢され、そのピン４６が操作部材３２のカム面４０に押しつけられる。
【００２４】
ピン４６がカム面４０にスプリング４９で押しつけられることで操作部材３２は上向きの力が作用し、操作部材３２は図６に示す上方位置に摺動してピン４６がカム面４０の最も低い部分に接することで可動ストッパ３３は図６に示すストップ位置に揺動保持される。
【００２５】
操作つまみ５０を持って操作部材３２を下方に摺動すると、カム面４０がピン４６を押して可動ストッパ３３はスプリング４９に抗して非ストップ位置に向けて揺動し、図７に示すようにカム面４０の最も高い部分と連続した保持凹部４１にピン４６が嵌まり込むことで可動ストッパ３３を基板３１ａの開口部３６から本体３１の内部に入り込んだ非ストップ位置に保持する。
【００２６】
前記カバー体３５は裏面が開口した縦長の箱形状で、その表面に窓５１が形成されている。カバー体３５を本体３１に嵌め込むことでその窓５１に操作部材３２の操作つまみ５０が突出する。
【００２７】
前記可動ストッパ装置３３の本体３１が図３に仮想線で示すように、縦框８の縦框本体８ａのガイド溝１９と対向した部分８ｃに取付けられ、突起部４２、可動ストッパ３３は前記部分８ｃに形成した開口窓部８ｄより室外側に突出し、摺動子２０の一側面と相対向する。
なお、縦框８の樹脂カバー材８ｂには本体３１が挿通する開口窓部８ｅが形成され、その開口窓部８ｅを閉塞するようにカバー体３５が取付けられる。
【００２８】
図１に示すように、左右の縦框８の室内側面に可動ストッパ装置３０のカバー体３５と操作つまみ５０が見える。
カバー体３５の窓５１の上部に換気の表示５２、窓５１の下部に清掃の表示５３が設けてある。
このようであるから、使用者は換気する場合には操作つまみ５０を上に移動操作し、清掃する場合には操作つまみ５０を下に移動操作することで障子５の倒れ角度を２段階に調整できる。
【００２９】
前記摺動子２０は図８に示すように、ガイド溝１９に摺動自在に嵌まり合う断面形状の本体６０を有し、この本体６０の下面にクッション片６１と垂下片６２が一体的に設けてある。
本体６０の表面には上面に開口した溝６３が形成され、この溝６３は裏面に開口していると共に、裏面側上部に押え片６４が一体的に設けてある。
【００３０】
アーム２１の一端部にフランジ付きのカラー６５がピン６６で回転自在に取付けられ、そのカラー６５を摺動子２０の溝６３に嵌め込むことでアーム２１の一端部が摺動子２０に室内外側方向に揺動自在に連結される。
【００３１】
図４に示すように、操作つまみ５０を上方位置として可動ストッパ３３をストップ位置に保持した状態で障子５を室内側に傾動すると、図９に示すように摺動子２０が可動ストッパ３３のストッパ片４４に当接し、障子５の倒れ角度が小さい。
この時、摺動子２０のクッション片６１がストッパ片４４に当接するので障子５を開放した時の衝撃が低減する。
【００３２】
操作つまみ５０を下方に移動して可動ストッパ３３を非ストップ位置に揺動して保持し、その状態で障子５を室内側に傾動すると摺動子２０が可動ストッパ３３のストッパ片４４に当接しないから、図１０に示すように摺動子２０が固定ストッパ２４に当接するまで障子５が室内側に傾動し、障子５の倒れ角度が大きい。
【００３３】
前述の状態から障子５を閉じ方向に傾動すると摺動子２０が操作部材３２の突起部４２に接して操作部材３２を僅かに上に移動してピン４６が保持凹部４１から離れてカム面４０に接する。
摺動子２０は突起部４２を弾性変形して突起部４２を通過して可動ストッパ３３よりも上に移動すると可動ストッパ３３はスプリング４９でストップ位置に揺動し、操作部材３２はピン４６とカム面４０で上方位置に摺動する。
【００３４】
この時の動作を図１１と図１２に基づいて詳細に説明する。
図１１（ａ）に示すように、可動ストッパ３３を非ストップ位置として摺動子２０が下方に摺動すると、その摺動子２０の一側面（本体６０の一側面６０ａ）が可動ストッパ３３を通過し、図１１（ｂ）に示すように突起部４２が弾性変形して摺動子２０が突起部４２の横を通って図１１（ｃ）に示すように固定ストッパ２４に当接する。
【００３５】
前述の状態から摺動子２０が上方に移動すると図１２（ａ）のように突起部４２に干渉し、摺動子２０とともに操作部材３２が上方に移動してピン４６が保持凹部４１から離れて可動ストッパ３３の保持が解除されると共に、可動ストッパ３３が摺動子２０の一側面に押しつけられる。
さらに摺動子２０が上方に移動すると突起部４２が図１２（ｂ）のように弾性変形して摺動子２０が突起部４２、可動ストッパ３３に沿って上方に移動し、図１２（ｃ）のように摺動子２０が突起部４２、可動ストッパ３３を通過するとストップ位置に揺動する。
なお、突起部４２は摺動子２０が上から下に向けて移動する時に弾性変形し易く、下から上に移動する時には弾性変形しにくい形状としてある。
【００３７】
【発明の効果】
請求項１に係る発明によれば、操作部材を上方に移動して可動ストッパをストップ位置とすれば、障子を室内側に傾動した時に摺動子が可動ストッパに当接し、障子の倒れ角度が小さい。
操作部材を下方に移動して可動ストッパを非ストップ位置とすれば、障子を室内側に傾動した時に摺動子は可動ストッパを通過して固定ストッパに当接し、障子の倒れ角度が大きい。
また、操作部材は障子の縦框室内側面に設けられているので操作部材を室内から見易いし、操作つまみを持って操作部材を上下に移動操作すれば障子の倒れ角度を調整でき、初めての人でも障子の倒れ角度の調整操作が判り易いし、操作部材の上下移動という容易な操作で障子の倒れ角度調整することが可能である。
【００３８】
また、スプリングの力によって可動ストッパが揺動されてカムがカム面に押しつけられ、可動ストッパがストップ位置となると共に、操作部材が上方に移動して保持されるので、通常の障子開閉操作時には障子の倒れ角度が小さい。
障子の清掃等の特殊な場合には操作部材を下方に移動操作することでカム面がカムを押して可動ストッパを非ストップ位置に揺動し、保持凹部にカムが嵌まり込んでストップ位置に保持できるので、操作部材を下方に移動する簡単な操作で障子の倒れ角度を大きくできる。
【００３９】
また、前述の状態から障子を閉じ位置に向けて傾動することで摺動子が上方に移動し、突起部に干渉して操作部材を上方に移動してカムが保持凹部から離れて可動ストッパの保持を解除するから、摺動子が可動ストッパを通過することで可動ストッパがスプリングでストップ位置に揺動すると共に、操作部材が上方の位置に移動する。
したがって、障子を閉じることで可動ストッパが自動的にストップ位置に復帰し、操作性が良いと共に、戻し忘れがない。
【００４０】
請求項２に係る発明によれば、換気の表示、清掃の表示に合せて操作つまみを上下に移動すれば良いので、その操作が極めて簡単で、しかも誤操作することがない。
【図面の簡単な説明】
【図１】内倒し窓の内観図である。
【図２】内倒し窓の縦断面図である。
【図３】内倒し窓の横断面図である。
【図４】障子を閉じた状態の側面図である。
【図５】可動ストッパ装置の分解斜視図である。
【図６】可動ストッパがストップ位置の状態の側面図である。
【図７】可動ストッパが非ストップ位置の状態の側面図である。
【図８】摺動子の斜視図である。
【図９】障子の倒れ角度が小さい状態の側面図である。
【図１０】障子の倒れ角度が大きい状態の側面図である。
【図１１】障子の倒れ角度が大きい場合の摺動子のストップ動作説明図である。
【図１２】障子の倒れ角度が大きい場合の摺動子の戻り動作説明図である。
【符号の説明】
１…窓枠
２…上枠
３…下枠
４…縦枠
５…障子
６…上框
７…下框
８…縦框
１９…ガイド溝
２０…摺動子
２１…アーム
２４…固定ストッパ
３０…可動ストッパ装置
３１…本体
３２…操作部材
３３…可動ストッパ
３４…本体部
３５…カバー体
４０…カム面
４１…保持凹部
４２…突起部
４６…ピン（カム）
４９…スプリング
５０…操作つまみ
５１…窓
５２…換気の表示
５３…清掃の表示
【図１】
0003689844.tif 000002
【図２】
0003689844.tif 000003
【図３】
0003689844.tif 000004
【図４】
0003689844.tif 000005
【図５】
0003689844.tif 000006
【図６】
0003689844.tif 000007
【図７】
0003689844.tif 000008
【図８】
0003689844.tif 000009
【図９】
0003689844.tif 000010
【図１０】
0003689844.tif 000011
【図１１】
0003689844.tif 000012
【図１２】
0003689844.tif 000013